(57)【要約】  周囲ノイズ除去装置及び方法と周囲ノイズ除去装置を備えた移動通信端末機は、マイク又はセンサーを通じて入力されたノイズを含んだ有効な音源からノイズを除去するものであり、マイク又はセンサーを通じて入力された音源から基準電流を設定する基準電流設定部と、設定された基準電流により制御される利得を有し、入力された音源の入力電流を該当する利得に従って増幅する可変増幅部と、前記可変増幅部を通じて増幅された音源のレベルを調整するレベル調整部とを含む。
2009507416.tif 000002
【特許請求の範囲】
【請求項１】
マイク又はセンサーを通じて入力されたノイズを含んだ音源からノイズを取り除く周囲ノイズ除去装置であって、
前記マイク又はセンサーを通じて入力された音源から基準電流を設定する基準電流設定部と、
設定された基準電流により制御される利得を有し、入力された音源の入力電流を該当する利得に従って増幅する可変増幅部と、
前記可変増幅部を通じて増幅された音源のレベルを調整するレベル調整部とを含む。
【請求項２】
請求項１の周囲ノイズ除去装置において、前記基準電流設定部は、マイク又はセンサーを通じて入力された音源の電流が印加され、該当電流の平均値を出力して基準電流を設定する。
【請求項３】
請求項１または２の周囲ノイズ除去装置において、前記可変増幅部の利得は、マイク又はセンサーを通じて入力された音源の電圧に比例する。
【請求項４】
請求項３の周囲ノイズ除去装置において、前記レベル調整部は、演算増幅器である。
【請求項５】
請求項３の周囲ノイズ除去装置において、前記周囲ノイズ除去装置は、使用者の操作により動作がオン又はオフになる。
【請求項６】
請求項３の周囲ノイズ除去装置において、前記周囲ノイズ除去装置は、移動通信端末機に接続される。
【請求項７】
請求項６の周囲ノイズ除去装置において、前記周囲ノイズ除去装置は、移動通信端末機と共に提供されるイヤマイクに一体型に含まれて接続される。
【請求項８】
請求項６の周囲ノイズ除去装置において、前記周囲ノイズ除去装置は、接続標準を有する移動通信端末機の入出力端子に接続される。
【請求項９】
請求項３の周囲ノイズ除去装置において、前記周囲ノイズ除去装置は、電子聴診器又は無電機に含まれる。
【請求項１０】
マイク又はセンサーを通じて入力されたノイズを含んだ音源からノイズを取り除く周囲ノイズ除去方法であって、
前記マイク又はセンサーを通じて入力された音源から基準電流を設定する段階と、
設定された基準電流により制御される利得を有し、入力された音源の入力電流を該当す  る利得に従って増幅させる段階と、
増幅された音源のレベルを調整する段階とを含む。
【請求項１１】
請求項１０の周囲ノイズ除去方法において、前記基準電流設定段階は、
マイク又はセンサーを通じて入力された音源の電流の入力を受ける段階と、
入力された電流を全波整流する段階と、
全波整流された電流を出力して基準電流を設定する段階とを含む。
【請求項１２】
請求項１０の周囲ノイズ除去方法において、前記増幅段階において利得は、マイク又はセンサーを通じて入力された音源の電圧に比例する。
【請求項１３】
請求項１０の周囲ノイズ除去方法において、前記レベル調整段階は、所定の増幅比よって音源のレベルを調整する。
【請求項１４】
請求項１０の周囲ノイズ除去方法であって、
使用者操作により動作がオン又はオフになる段階をさらに含む、
【請求項１５】
周囲ノイズ除去装置を備える移動通信端末機であって、
外部から音源の入力を受けるマイクと、
前記マイクを通じて入力された音源から基準電流を設定する基準電流設定部と、
設定された基準電流により制御される利得を有し、入力された音源の入力電流を該当する利得に従って増幅する可変増幅部と、
前記可変増幅部を通じて増幅された音源のレベルを調整するレベル調整部と、
前記レベル調整部により調整された音源の入力を受けて信号処理する音声処理部とを含む。
【請求項１６】
請求項１５の移動通信端末機において、前記移動通信端末機に備えられた周囲ノイズ除去装置は、使用者の操作により動作がオン又はオフになる。
【請求項１７】
周囲ノイズ除去装置であって、
マイク又はセンサーから入力される音声入力に入力端子が接続され、整流された電流の出力端子が、可変増幅部の利得制御端子に接続される全波整流回路部と、
前記マイク又はセンサーから入力される音声入力に入力端子が接続され、前記全波整流回路部の出力端子側に利得制御端子が接続され、増幅された電流の出力端子が抵抗を通じてレベル調整部の入力端に接続される可変増幅回路部と、
前記抵抗を通じて前記可変増幅部の出力端子から電流の入力を受け、所定の利得に従って信号を増幅し、出力端子を通じて出力するレベル変換回路部とを含む。
【請求項１８】
請求項１７の周囲ノイズ除去装置において、前記レベル変換回路部の出力端子は、移動通信端末機のマイク入力端子と電気的に接続される。
【請求項１９】
請求項１７の周囲ノイズ除去装置において、前記レベル変換回路部の出力端子は、所定の接続標準を有するハンズフリー用接続端子を通じて移動通信端末機に接続される。
【請求項２０】
請求項１９の周囲ノイズ除去装置において、前記接続端子を通じて周囲ノイズ除去装置が電気的に接続される場合、前記移動通信端末機自体のマイクが自動的にオフになる。
【発明の詳細な説明】
【技術分野】
【０００１】
本発明は、周囲ノイズ除去装置と周囲ノイズ除去方法と周囲ノイズ除去装置を備えた移動通信端末機に関し、特に、マイク又はセンサーを通じて使用者の音声信号を受信しこれを有線又は無線で相手に送信する通信機器や特定音源の入力を受ける機器において、使用者の音声信号又は特定音源と共に入力される周囲ノイズを取り除く周囲ノイズ除去装置と周囲ノイズ除去方法と周囲ノイズ除去装置を備えた移動通信端末機に関するものである。
【背景技術】
【０００２】
使用者の音声信号を受信しこれを有線又は無線で相手に送信する通信機器としては、例えば、家庭で使用する電話機、移動中に使用可能な移動通信端末機などがあり、またこの他に、無線機やマイクを備えた音声通信用ヘッドセット装置などがある。
【０００３】
一方、特定音源の入力を受ける機器としては、例えば、体内から発生する心音や呼吸音をはじめとして、動脈音・腸ノイズ・脈管音を聴いて正常状態であるかどうかを確認するために使用される電子聴診器や、パイプから漏れる水を探知するための水漏探知器などがある。
【０００４】
このような使用者音声信号の入力を受ける通信機器や、特定音源の入力を受ける機器は、マイク又はセンサーを通じて使用者の音声信号や特定音源の入力を受けるが、この際に周囲で発生するノイズも一緒に入力される。
【０００５】
特に、室外ではノイズが頻繁に発生しており、例えば、周囲の人々によって発生するノイズや、タクシーやバスなどの大衆交通手段によって発生するノイズ、工事現場で発生するノイズなど様々なノイズがある。また、室外で発生するノイズだけでなく、室内でもノイズが発生しており、例えば、カラオケのような密閉空間、又は顧客からのお問い合わせに電話で対応するためのコールセンターのような場所でもノイズが必ず発生する。
【０００６】
このようにノイズが発生する室内又は室外では、移動通信端末機のような通信機器を使用して相手と音声通話を行うことになった場合、受信者はノイズのため送信者の音声内容を完全に理解することができないという問題が多く発生する。
【発明の開示】
【発明が解決しようとする課題】
【０００７】
このようにマイク又はセンサーを通じて使用者の音声信号や特定音源の入力を受ける通信機器などにおいて、周囲で発生するノイズが一緒に入力されると、使用者の音声信号を正常に伝達することができなかったり、ノイズのため特定音源だけを受信することができないという問題点があった。そこで、このような問題点を解決するために様々な方法や装置が開発されている。ここでは、マイクに混入する周囲のノイズを取り除く回路を例として、添付図面を参照し説明する。
【０００８】
図１は、マイクを通じて混入する周囲ノイズを除去する従来の回路図である。
【０００９】
図１を参照すると、図示されているように、従来の周囲ノイズ除去回路は、マイク１０を通じて使用者の音声信号と周囲のノイズ信号が入力されると、直列に接続されたコンデンサーＣ２を通じてノイズ信号を取り除く。そして、ノイズ信号の除去された信号は、増幅器２０を通じて増幅され、スピーカを通じて使用者に出力される。
【００１０】
ところが、マイクを通じて混入するノイズを除去する従来のノイズ除去回路は、ノン・リニアなノイズは除去することができない。換言すれば、従来のノイズ除去回路はノン・リニアノイズと入力された音声信号とを合成して増幅するため、依然としてノン・リニアノイズを除去することができないという問題点があった。
【００１１】
そこで、本発明の目的は、マイク又はセンサーを通じて入力されたノイズを含む有効な音源から基準電流を設定し、設定された基準電流により制御される利得に従って入力された音源の入力電流を増幅し、有効な音源はより大きく増幅し、ノイズはより小さく増幅することによって周囲のノイズを取り除く周囲ノイズ除去装置と周囲ノイズ除去方法と周囲ノイズ除去装置を備えた移動通信端末機を提供することにある。
【課題を解決するための手段】
【００１２】
本発明による周囲ノイズ除去装置は、マイク又はセンサーを通じて入力されたノイズを含む音源からノイズを取り除く周囲ノイズ除去装置であって、前記マイク又はセンサーを通じて入力された音源から基準電流を設定する基準電流設定部と、設定された基準電流により制御される利得を有し、入力された音源の入力電流を該当利得に従って増幅する可変増幅部と、前記可変増幅部を通じて増幅された音源のレベルを調整するレベル調整部とを含む。
【００１３】
上記の構成によれば、マイク又はセンサーを通じて入力されたノイズを含む有効な音源から基準電流を設定し、設定された基準電流により制御される利得に従って入力された音源の入力電流を増幅し、有効な音源はより大きく増幅し、ノイズはより小さく増幅することによってノイズを除去することができる効果がある。
【００１４】
本発明による周囲ノイズ除去方法は、マイク又はセンサーを通じて入力されたノイズを含む音源からノイズを取り除く周囲ノイズ除去方法であって、前記マイク又はセンサーを通じて入力された音源から基準電流を設定する段階と、設定された基準電流により制御される利得により入力された音源の入力電流を該当利得に従って増幅する段階と、増幅された音源のレベルを調整する段階とを含む。
【００１５】
上記の構成によれば、マイク又はセンサーを通じて入力されたノイズを含む有効な音源から基準電流を設定し、設定された基準電流により制御される利得により入力された音源の入力電流を増幅し、有効な音源はより大きく増幅し、ノイズはより小さく増幅することによってノイズを除去することができる効果がある。
【００１６】
本発明による周囲ノイズ除去装置を備えた移動通信端末機は、外部から音源の入力を受けるマイクと、前記マイクを通じて入力された音源から基準電流を設定する基準電流設定部と、設定された基準電流により制御される利得を有し、入力された音源の入力電流を該当利得に従って増幅する可変増幅部と、前記可変増幅部を通じて増幅された音源のレベルを調整するレベル調整部と、前記レベル調整部により調整された音源の入力を受けて信号処理する音声処理部とを含む。
【００１７】
上記の構成によれば、移動通信端末機のマイクを通じて入力されたノイズを含む有効な音源から基準電流を設定し、設定された基準電流により制御される利得に従って入力された音源の入力電流を増幅し、有効な音源はさらに大きく増幅し、ノイズはさらに小さく増幅することによって、相手はノイズが除去された有効な音源だけを聴くことができるという効果がある。
【００１８】
本発明による周囲ノイズ除去装置は、マイク又はセンサーから入力される音声入力に入力端子が接続され、整流された電流の出力端子が可変増幅部の利得制御端子に接続される全波整流回路部と、前記マイク又はセンサーから入力される音声入力に入力端子が接続され、前記全波整流回路部の出力端子側に利得制御端子が接続され、増幅された電流の出力端子が抵抗を通じてレベル調整部の入力端に接続される可変増幅回路部と、前記抵抗を通じて前記可変増幅部の出力端子から電流の入力を受け、所定の利得に従って信号を増幅し、出力端子を通じて出力するレベル変換回路部とを含む。
【００１９】
上記の構成によれば、マイク又はセンサーを通じて入力されたノイズを含む有効な音源から基準電流を設定し、設定された基準電流により制御される利得に従って入力された音源の入力電流を増幅し、有効な音源はさらに大きく増幅し、ノイズはさらに小さく増幅することによってノイズを除去することができる効果がある。
【発明を実施するための最良の形態】
【００２０】
以下、本発明の好適な実施形態について、添付図面を参照し詳しく説明する。本発明を説明するにあたって、関連の公知機能あるいは構成に関する具体的な説明が本発明の要旨を不明瞭にする可能性があると判断される場合は、それに関する詳細な説明は省略する。
【００２１】
まず、本発明の実施形態による周囲ノイズ除去装置の原理を説明するために添付図面を参照し説明する。
【００２２】
図２は、本発明の実施形態による、周囲ノイズ除去装置に入力された音源の入力レベルに対する出力レベルを示すグラフを図示したものである。
【００２３】
図２を参照すると、図示されているように、本発明の実施形態による周囲ノイズ除去装置において、０ｄＢｍの入力レベルを基準とする時、入力レベルが＋１０ｄＢｍである場合、これに対応する出力レベルは＋２０ｄＢｍであり、入力レベルが−１０ｄＢｍである場合、これに対応する出力レベルは−２０ｄＢｍと示している。すなわち、所定の基準レベル以上の入力レベルが入力されると、より高い出力レベルを出力し、所定の基準レベル以下の入力レベルが入力されると、より低い出力レベルを出力することを意味する。
【００２４】
一方、マイクから所定の離隔距離だけ離れた地点ではマイクを通じて入力される入感レベルの側面で、使用者の音声信号のような有効な音源が、周囲で発生するノイズより入力レベルが大きい。これは実験を通じて確認することができる。ここで、所定の離隔距離だけ離れた地点とは、マイクから５ｃｍ以内の距離だけ離れた地点を意味し、使用者の口から２ｃｍ程度離れた地点にマイクが位置することが好ましい。
【００２５】
例えば、より詳細には、カラオケのように大きなノイズが発生する場所で移動通信端末機を使用して外部にいる相手と通話をする場合、移動通信端末機の使用者は勿論、周囲にいる人々は、移動通信端末機を使用する使用者の音声よりカラオケで発生するノイズが大きいと感じる。
【００２６】
しかし、移動通信端末機のマイクから所定の離隔距離だけ離れた地点では、マイクを通じて入力される入感レベル側面で、カラオケで発生するノイズレベルが移動通信端末機を使用する使用者の音声レベルより小さい。これは、使用者の音声は移動通信端末機のマイクから所定の離隔距離だけ離れた地点からマイクを通じて入力されるが、カラオケのノイズはこれよりも遠いところからマイクを通じて入力されるため、マイクから所定の離隔距離だけ離れた地点まで減殺現象が生じ、これによって移動通信端末機のマイクから所定の離隔距離だけ離れた地点では、ノイズレベルが移動通信端末機を使用する使用者の音声レベルより小さくなるわけである。
【００２７】
上述の原理及び特性を利用した本発明の実施形態による、周囲ノイズ除去装置について添付図面を参照し説明するが、マイクを通じて入力されたノイズを含む有効な音源からノイズを取り除くことを例にして説明する。
【００２８】
図３は、本発明の実施形態による、周囲ノイズ除去装置のブロック構成図を示す図である。
【００２９】
図３を参照すると、図示されているように、本発明の実施形態による周囲ノイズ除去装置は、マイク１００を通じて入力されたノイズを含む有効な音源からノイズを取り除く周囲ノイズ除去装置において、前記マイク１００を通じて入力された音源から基準電流を設定する基準電流設定部１１０と、設定された基準電流により制御される利得を有し、入力された音源の入力電流を該当利得に従って増幅する可変増幅部１２０と、前記可変増幅部１２０を通じて増幅された音源のレベルを調整するレベル調整部１４０とを含む。また、前記レベル調整部１４０が音源のレベルを調整する際に、所定の増幅比に応じて音源のレベルを調整できるように増幅比を決定するための可変抵抗部１３０をさらに含む。
【００３０】
前記基準電流設定部１１０は、マイク１００を通じて入力された音源から基準電流を設定する。詳細には、マイク１００を通じてノイズを含む有効な音源が入力されると、入力された音源に該当する電気的信号として所定の電圧が印加され、印加された電圧から電流が発生する。発生した電流を受信した前記基準電流設定部１１０は、入力された電流を全波整流して出力された平均値を利用して基準電流を設定する。
【００３１】
前記可変増幅部１２０は、前記基準電流設定部１１０により設定された基準電流により制御される利得を有し、入力された音源の入力電流を該当する利得に従って増幅する。また、前記可変増幅部１２０は、前記基準電流設定部１１０と同様に、マイク１００を通じてノイズを含む有効な音源の電流を受信し、このように入力された電流を設定された基準電流により制御される利得に従って可変増幅させる。
【００３２】
一方、前記可変増幅部１２０の利得は、マイクを通じて入力される音源の電圧に比例するが、これは前記基準電流設定部１１０が設定した基準電流より大きな有効音源はさらに大きく増幅し、基準電流より小さなノイズはさらに小さく増幅することを意味する。
【００３３】
より詳細に説明すると、上述したように、マイク１００から所定の離隔距離だけ離れた地点では、有効な音源がノイズより大きな入力レベルを持つ。このようなノイズを含む有効な音源がマイク１００を通じて入力されると、前記基準電流設定部１１０がノイズを含む有効な音源の入力電流の平均値を出力して基準電流を設定し、前記可変増幅部１２０が設定された基準電流により制御される利得に従ってノイズを含む有効な音源を可変増幅しており、基準電流より大きな有効な音源はさらに大きく増幅し、基準電流より小さなノイズはさらに小さく増幅する。
【００３４】
前記可変抵抗部１３０は、後述する前記レベル調整部１４０の増幅比を決めるための可変抵抗である。
【００３５】
前記レベル調整部１４０は、前記可変増幅部１２０を通じて増幅された音源のレベルを調整する。このようなレベル調整部１４０は、演算増幅器により具現可能であり、前記可変増幅部１２０を通じて増幅された音源のレベルを所定の増幅比で最終増幅し音源のレベルを調整する。ここで、所定の増幅比は、前記可変抵抗部１３０を通じて決定される。
【００３６】
上述した構成を有する周囲ノイズ除去装置は、使用者の操作により動作がオン又はオフになるように切り替えスイッチを通じて制御可能である。また、このような周囲ノイズ除去装置は、一般電話機や電子聴診器、無電機、及び移動通信端末機などをはじめとして、すべての通信機器に適用可能であり、所定のチップの形態で提供することができる。特に、移動通信端末機に適用される場合について後で述べる。
【００３７】
以下、上述した構成を有する周囲ノイズ除去装置の動作を、添付図面を参照し説明する。周囲ノイズ除去装置の動作がオンになっている場合を例として説明する。
【００３８】
図４は、本発明の実施形態による周囲ノイズ除去方法を説明するためのフローチャートである。
【００３９】
図４を参照すると、図示されているように、本発明の実施形態による周囲ノイズ除去方法は、まず、周囲ノイズを含む有効な音源をマイク又はセンサーを通じて入力を受ける（ステップＳ１０１）。その後、入力された周囲ノイズを含む有効な音源に該当する電気的信号として所定の電圧が印加され、印加された電圧から電流が発生する。発生した電流を受信した前記基準電流設定部１１０は、受信した電流を全波整流して出力された平均値を利用して基準電流を設定する（ステップＳ１０３）。
【００４０】
一方、前記可変増幅部１２０は、前記基準電流設定部１１０と同様に、マイク又はセンサーを通じて周囲ノイズを含む有効な音源の電流を受信し、このように受信した電流を前記基準電流設定部１１０により設定された基準電流により制御される利得に従って可変増幅するものである（ステップＳ１０５）。このような可変増幅過程（ステップＳ１０５）を通じて有効な音源はさらに大きく増幅され、周囲のノイズはさらに小さく増幅され、結果的に周囲ノイズが除去されるようになる。
【００４１】
さらに、前記レベル調整部１４０が、前記可変増幅部１２０を通じて増幅された電流を所定の増幅比に応じて最終増幅し、音源のレベルを調整する（ステップＳ１０７）。
【００４２】
本発明のまた他の実施形態による周囲ノイズ除去装置の回路を、添付図面を参照し説明する。ここでは、マイクを通じて入力されたノイズを含む有効な音源からノイズを取り除くことを例にして説明する。
【００４３】
図５は、本発明のまた他の実施形態による、周囲ノイズ除去装置を説明するための回路図である。
【００４４】
図５を参照すると、図示されているように、本発明のまた他の実施形態による周囲ノイズ除去装置は、マイクから入力される音声入力に入力端子が接続され、整流された電流の出力端子が可変増幅部の利得制御端子に接続される全波整流回路部２１０と、前記マイクから入力される音声入力に入力端子が接続され、前記全波整流回路部２１０の出力端子側に利得制御端子が接続され、増幅された電流の出力端子が抵抗を通じてレベル調整部の入力端に接続される可変増幅回路部２２０と、前記抵抗を通じて前記可変増幅部の出力端子から電流の入力を受け、所定の利得に従って信号を増幅し、出力端子を通じて出力するレベル変換回路部２４０を含んで構成されている。
【００４５】
そして、前記周囲ノイズ除去装置は、前記レベル変換回路部２４０が所定の利得に従って信号を増幅する際に、該当する利得を決めるための可変抵抗回路部２３０をさらに含む。
【００４６】
前記全波整流回路部２１０は、図示されているように、ＥＣＭ（Ｅｌｅｃｔｒｏｎｉｃ Ｃｏｎｄｅｎｃｅｒ Ｍｉｃ，エレクトロニックコンデンサーマイク）を通じて入力された音源から基準電流を設定する。詳細には、マイクを通じてノイズを含む有効な音源が入力されると、入力された音源に該当する電気的信号として所定の電圧が印加され、印加された電圧から電流が発生する。発生した電流を受信した前記全波整流回路部２１０は、入力された電流を全波整流して出力された平均値を利用して基準電流を設定する。
【００４７】
前記可変増幅回路部２２０は、前記全波整流回路部２１０により設定された基準電流により制御される利得を有し、入力された音源の入力電流を該当する利得に従って増幅させる。さらに、前記可変増幅回路部２２０は、前記全波整流回路部２１０と同様に、マイクを通じてノイズを含む有効な音源の電流を受信し、このように入力された電流を設定された基準電流により制御される利得に従って可変増幅する。
【００４８】
前記レベル変換回路部２４０は、前記可変増幅回路部２２０を通じて増幅された音源のレベルを所定の増幅比で最終増幅し音源のレベルを調整する。
【００４９】
なお、前記レベル変換回路部２４０の出力端子は、移動通信端末機のマイク入力端子に電気的に接続することもでき、また、所定の接続標準を有するハンズフリー用接続端子を通じて移動通信端末機に接続することもできるが、接続端子を通じて周囲ノイズ除去装置が接続される場合、移動通信端末機自体のマイクが自動的にオフになるよう具現可能である。
【００５０】
一方、図５に示されているように、本発明のまた他の実施形態による周囲ノイズ除去装置は、周囲ノイズ除去装置の動作をオン又はオフするための切り替えスイッチや、回路の駆動のために電源を供給するためのレギュレーターなどを含む。この他に説明されていない抵抗又はコンデンサーなどは、回路の駆動と安定性のために使用するもので、詳細な説明は省略する。
【００５１】
本発明のまた他の実施形態による、周囲ノイズ除去装置を備えた移動通信端末機について添付図面を参照し説明する。
【００５２】
図６は、本発明のまた他の実施形態による、周囲ノイズ除去装置を備える移動通信端末機のブロック構成図である。
【００５３】
図６を参照すると、図示されているように、本発明のまた他の実施形態による周囲ノイズ除去装置３１０を備えた移動通信端末機は、外部から音源の入力を受けるマイク３００と、前記マイク３００を通じて入力された音源から基準電流を設定する基準電流設定部３１０ａと、設定された基準電流により制御される利得を有し、入力された音源の入力電流を該当する利得に従って増幅する可変増幅部３１０ｂと、前記可変増幅部３１０ｂを通じて増幅された音源のレベルを調整するレベル調整部３１０ｄと、前記レベル調整部３１０ｄにより調整された音源の入力を受けて信号処理する音声処理部３２０を含んで構成されている。また、前記レベル調整部３１０ｄが音源のレベルを調整する際に、所定の増幅比に応じて音源のレベルを調整することができるように増幅比を決めるための可変抵抗部３１０ｃをさらに含んでいる。
【００５４】
また、前記周囲ノイズ除去装置３１０を備えた移動通信端末機は、既存の移動通信端末機の共通的な構成である無線通信部３３０と、制御部３４０と、キー入力部３５０と、表示部３６０と、メモリ３７０と、インターフェース部３８０をさらに含む。
【００５５】
前記基準電流設定部３１０ａは、マイク３００を通じて入力された音源から基準電流を設定する。詳細には、マイク３００を通じてノイズを含んだ有効な音源が入力されると、入力された音源に該当する電気的信号として所定の電圧が印加され、印加された電圧から電流が発生する。発生した電流を受信した前記基準電流設定部３１０ａは、入力された電流を全波整流して出力された平均値を利用して基準電流を設定する。
【００５６】
前記可変増幅部３１０ｂは、前記基準電流設定部３１０ａにより設定された基準電流により制御される利得を有し、入力された音源の入力電流を該当する利得に従って増幅する。さらに、前記可変増幅部３１０ｂは、前記基準電流設定部３１０ａと同様に、マイクを通じてノイズを含む有効な音源の電流の入力を受け、このように入力された電流を設定された基準電流により制御される利得に従って可変増幅する。
【００５７】
前記レベル調整部３１０ｄは、前記可変増幅部３１０ｂを通じて増幅された音源のレベルを調整する。このようなレベル調整部３１０ｄは、演算増幅器により具現可能であり、増幅された音源のレベルを所定の増幅比で増幅するものである。
【００５８】
前記音声処理部３２０は、デジタル音声データをアナログ音声信号に、またはその逆の変換を処理し、オーディオ増幅回路やフィルターのような付加回路を含む公知の構成であり、前記レベル調整部３１０ｄにより調整された音源の入力を受けて信号処理する。このような音声処理部３２０は、ボイスコデックであることがある。
【００５９】
前記無線通信部３３０は、基地局との通信のためのアンテナ及びＲＦ回路を含んで構成されている。本明細書において、無線通信部３３０は、多様なバージョンのＣＤＭＡ方式だけでなく、セルラー、ＧＳＭ、Ｗ−ＣＤＭＡ方式など、現存の方式は勿論、今後登場される移動通信方式を包括するものである。
【００６０】
前記制御部３４０は、移動通信端末機の動作を全般的に制御する。そして、前記キー入力部３５０は、複数の数字キーと文字キー、及び機能キーを含んで構成され、使用者の命令を受信して制御部３４０に伝達し、前記表示部３６０は、移動通信端末機の全体的な動作状態を表示する。
【００６１】
前記メモリ３７０は、ＥＥＰＲＯＭ又はフラッシュメモリのような非揮発性メモリであってもよく、データ及び移動通信端末機の駆動に必要なプログラムを格納する。
【００６２】
前記インタフェース部３８０は、前記移動通信端末機を外部機器に接続するための通信ポートであることがあり、所定の通信ケーブルを通じて外部機器に接続される。
【００６３】
上述したように、周囲ノイズ除去装置が移動通信端末機に含まれることもあるが、移動通信端末機と共に提供されるイヤマイクに一体型に含まれて具現されることも可能である。この場合にも、使用者の操作によって動作をオン又はオフすることができる。
【００６４】
また、周囲ノイズ除去装置が移動通信端末機の入出力端子の接続標準に従う通信ケーブルを通じて前記インタフェース部３８０に接続され、オーディオ信号の入力を受信する場合にも動作するように具現可能である。この時、周囲ノイズ除去装置が移動通信端末機のインタフェース部３８０を通じて接続される場合、移動通信端末機自体のマイクが自動的にオフになるように設定可能であるが、周囲ノイズ除去装置の動作がオンになった場合、これに該当する信号を移動通信端末機が受信して処理することによって可能となる。
【００６５】
一方、接続標準はＴＴＡ２４ＰＩＮを含み、以降、接続標準が改定となる場合でも、改定された接続標準に基づいて周囲ノイズ除去装置が移動通信端末機に接続することができるよう提供することができる。なお、ＴＴＡ２４ＰＩＮの入出力端子の各ピンのうち、７番ピンがＡＵＤＩＯ ＩＮ／ＰＣＭ ＲＸのためのピンとして使用される。
【産業上の利用可能性】
【００６６】
上記のように、本発明によれば、マイク又はセンサーを通じて入力されたノイズを含む有効な音源から基準電流を設定し、設定された基準電流により制御される利得に従って入力された音源の入力電流を増幅させることで、有効な音源はさらに大きく増幅し、ノイズはさらに小さく増幅することによって、周囲ノイズを除去することができる。
【００６７】
なお、本発明は、図面に示された実施形態を参照し説明したが、これは例示に過ぎず、該当技術分野における通常の知識を有する者であれば、本発明の基本概念を利用して多様な変形及び改良形態が可能なのは明らかである。よって、本発明の真の技術的権利範囲は、本発明の特許請求の範囲によってのみ確定されねばならない。
【図面の簡単な説明】
【００６８】
【図１】従来のマイクを通じて混入する周囲ノイズの除去回路図である。
【図２】本発明の実施形態による、周囲ノイズ除去装置に入力された音源の入力レベルに対する出力レベルを示すグラフである。
【図３】本発明の実施形態による、周囲ノイズ除去装置のブロック構成図である。
【図４】本発明の実施形態による、周囲ノイズ除去方法を説明するためのフローチャートである。
【図５】本発明のまた他の実施形態による、周囲ノイズ除去装置を説明するための回路図である。
【図６】本発明のまた他の実施形態による、周囲ノイズ除去装置を備えた移動通信端末機のブロック構成図である。
【図１】
2009507416.tif 000003
【図２】
2009507416.tif 000004
【図３】
2009507416.tif 000005
【図４】
2009507416.tif 000006
【図５】
2009507416.tif 000007
【図６】
2009507416.tif 000008
【国際調査報告】
2009507416.tif 000009
2009507416.tif 000010